(57)【要約】【課題】誤接続が原因でフレーム同期が確立されないのか、誤接続以外の原因でフレーム同期が確立されないのかを操作者に知らせることができるようにする。【解決手段】例えば、フレーム同期処理部１２−ｎによりフレーム同期が確立されない場合、ポート１１−ｎに登録されているプロトコルと異なる他のプロトコルでのフレーム同期の確立処理をフレーム同期処理部１２−ｎに指示し、他のプロトコルでフレーム同期が確立されれば、外部装置の接続先が誤っている旨を通知し、他のプロトコルでもフレーム同期が確立されなければ、誤接続以外の原因でフレーム同期が確立されない旨を通知する。【選択図】図１
2010252026.tif 000002
【特許請求の範囲】
【請求項１】
外部装置と接続された状態で、上記外部装置から送信される信号を受信する物理的形状が共通な複数のポートと、上記ポートに登録されているプロトコルで、上記ポートにより受信された信号に対するフレーム同期の確立処理を実施する複数のフレーム同期確立手段と、上記フレーム同期確立手段によりフレーム同期が確立されない場合、上記プロトコルと異なる他のプロトコルでのフレーム同期の確立処理を上記フレーム同期確立手段に指示し、他のプロトコルでフレーム同期が確立されれば、上記外部装置の接続先が誤っている旨を通知し、他のプロトコルでもフレーム同期が確立されなければ、誤接続以外の原因でフレーム同期が確立されない旨を通知する誤接続検出手段とを備えたマルチプロトコル収容装置。
【請求項２】
誤接続検出手段は、他のプロトコルでフレーム同期が確立される場合、正しい接続先として、他のプロトコルが登録されているポートを通知することを特徴とする請求項１記載のマルチプロトコル収容装置。
【請求項３】
他のプロトコルでフレーム同期が確立される場合、外部装置の接続先が誤っている旨を表示する表示手段を設けたことを特徴とする請求項１または請求項２記載のマルチプロトコル収容装置。
【請求項４】
表示手段は、正しい接続先として、他のプロトコルが登録されているポートを表示することを特徴とする請求項３記載のマルチプロトコル収容装置。
【請求項５】
誤接続検出手段は、他のプロトコルでフレーム同期が確立される場合、他のプロトコルにおける回線識別子を検出し、上記回線識別子に対応するポートが正しい接続先である旨を通知することを特徴とする請求項１から請求項４のうちのいずれか１項記載のマルチプロトコル収容装置。
【請求項６】
誤接続検出手段は、他のプロトコルにおける回線識別子が登録されていない場合、正しい接続先が他の装置である旨を通知することを特徴とする請求項５記載のマルチプロトコル収容装置。
【発明の詳細な説明】
【技術分野】
【０００１】
この発明は、複数のプロトコルを収容するマルチプロトコル収容装置に関するものである。
【背景技術】
【０００２】
複数のプロトコルを収容するマルチプロトコル収容装置については、以下の２通りの仕様が考えられる。
（１）ポートにより受信された信号（ポートに接続された外部装置から送信された信号）のプロトコルを自動的に判別して収容する装置。
（２）オペレータが事前にプロトコルを登録し、ポートにより受信された信号のプロトコルが事前に登録されたプロトコルと異なれば、その信号に対する処理を行わない装置。
【０００３】
上記（２）の仕様のマルチプロトコル収容装置では、外部装置をポートに接続する際、接続対象のポートを誤って、接続対象でないポートに接続してしまった結果、回線を開通することができない状況の発生が考えられる。
例えば、図５のマルチプロトコル収容装置では、外部装置であるＳＯＮＥＴ装置を本来的にはポート（１）に接続する必要があるのに、誤ってポート（ｎ）に接続してしまった結果、ポート（ｎ）に登録されているプロトコル（Ｆｉｂｒｅ  Ｃｈａｎｎｅｌ）でフレーム同期の確立を行えず、回線を開通することができない状況が発生している様子を示している。
【０００４】
従来のマルチプロトコル収容装置では、登録されているプロトコルでフレーム同期が確立されない場合、該当ポートにおいて、フレーム同期が確立されない旨を示す「フレーム同期外れ警報」を通知するようにしている。
これにより、実際に機器を操作する操作者は、何らかの問題が発生していることを認識することができる。
フレーム同期が確立されない要因は、大別して、以下の２通りが考えられる。
（１）ポートにより受信された信号が、物理レイヤにおいて劣化（例えば、電気信号の振幅劣化、光信号の振幅劣化、信号周波数の揺らぎなど）しているために、多くの信号誤りが発生し、その結果として、フレーム同期が確立されない。
（２）ポートにより受信された信号の種類が、本来、処理すべき信号の種類と異なっているために（プロトコルが異なっている）、フレーム同期が確立されない。
【０００５】
フレーム同期が確立されない要因が、上記（１）に該当する場合、例えば、外部装置とポート間の接続ケーブルの状態、外部装置から送信される信号の状態などを確認する必要がある。
この場合には、確認しなければならない範囲が広く、また、信号状態の確認等は、専用の測定器が必要であり、確認作業として多くの時間を要することになる。
一方、フレーム同期が確立されない要因が、上記（２）に該当する場合、単純な誤接続が原因である可能性が高く、原因が誤接続であることが明白であれば、回線が開通しない問題の解決を比較的短時間で行うことが可能である。
ただし、従来のマルチプロトコル収容装置は、フレーム同期が確立されない要因が、上記（１）に該当するのか、上記（２）に該当するのかを識別する機能を有していない。
フレーム同期が確立されない要因が、上記（１）に該当するのか、上記（２）に該当するのかの判断は容易に行えない場合が多く、トラブルシューティングに長時間を要する。
【０００６】
なお、以下の特許文献１には、フレーム同期が確立されない要因が、上記（１）に該当するのか、上記（２）に該当するのかを識別する機能を備えているマルチプロトコル収容装置ではないが、フレーム同期の誤確立を防止する技術が開示されている。
【先行技術文献】
【特許文献】
【０００７】
【特許文献１】特開２００５−１７５６１４号公報（段落番号［００１８］、図１）
【発明の概要】
【発明が解決しようとする課題】
【０００８】
従来のマルチプロトコル収容装置は以上のように構成されているので、入力信号の劣化等が原因でフレーム同期が確立されないのか、誤接続が原因でフレーム同期が確立されないのかを識別することができず、迅速に回線を開通することができないなどの課題があった。
【０００９】
この発明は上記のような課題を解決するためになされたもので、誤接続が原因でフレーム同期が確立されないのか、誤接続以外の原因でフレーム同期が確立されないのかを操作者に知らせることができるマルチプロトコル収容装置を得ることを目的とする。
【課題を解決するための手段】
【００１０】
この発明に係るマルチプロトコル収容装置は、外部装置と接続された状態で、外部装置から送信される信号を受信する物理的形状が共通な複数のポートと、ポートに登録されているプロトコルで、そのポートにより受信された信号に対するフレーム同期の確立処理を実施する複数のフレーム同期確立手段とを設け、誤接続検出手段が、フレーム同期確立手段によりフレーム同期が確立されない場合、登録されているプロトコルと異なる他のプロトコルでのフレーム同期の確立処理をフレーム同期確立手段に指示し、他のプロトコルでフレーム同期が確立されれば、外部装置の接続先が誤っている旨を通知し、他のプロトコルでもフレーム同期が確立されなければ、誤接続以外の原因でフレーム同期が確立されない旨を通知するようにしたものである。
【発明の効果】
【００１１】
この発明によれば、外部装置と接続された状態で、外部装置から送信される信号を受信する物理的形状が共通な複数のポートと、ポートに登録されているプロトコルで、そのポートにより受信された信号に対するフレーム同期の確立処理を実施する複数のフレーム同期確立手段とを設け、誤接続検出手段が、フレーム同期確立手段によりフレーム同期が確立されない場合、登録されているプロトコルと異なる他のプロトコルでのフレーム同期の確立処理をフレーム同期確立手段に指示し、他のプロトコルでフレーム同期が確立されれば、外部装置の接続先が誤っている旨を通知し、他のプロトコルでもフレーム同期が確立されなければ、誤接続以外の原因でフレーム同期が確立されない旨を通知するように構成したので、誤接続が原因でフレーム同期が確立されないのか、誤接続以外の原因でフレーム同期が確立されないのかを操作者が知ることができるようになり、その結果、操作者が迅速に問題に対処して回線を開通することができる効果がある。
【図面の簡単な説明】
【００１２】
【図１】この発明の実施の形態１によるマルチプロトコル収容装置を示す構成図である。
【図２】この発明の実施の形態１によるマルチプロトコル収容装置の処理内容を示す説明図である。
【図３】この発明の実施の形態２によるマルチプロトコル収容装置の処理内容を示す説明図である。
【図４】この発明の実施の形態３によるマルチプロトコル収容装置の処理内容を示す説明図である。
【図５】従来のマルチプロトコル収容装置を示す構成図である。
【発明を実施するための形態】
【００１３】
実施の形態１．
図１はこの発明の実施の形態１によるマルチプロトコル収容装置を示す構成図であり、また、図２はこの発明の実施の形態１によるマルチプロトコル収容装置の処理内容を示す説明図である。
図１及び図２において、ＳＯＮＥＴ装置１はＳＯＮＥＴ（Ｓｙｎｃｈｒｏｎｏｕｓ  Ｏｐｔｉｃａｌ  ＮＥＴ  ｗｏｒｋ：同期光伝送網）プロトコルの信号を送信する外部装置である。
Ｅｔｈｅｒｎｅｔ装置２（「Ｅｔｈｅｒｎｅｔ（登録商標）」以下省略）はＥｔｈｅｒｎｅｔプロトコルの信号を送信する外部装置である。
ＦｉｂｒｅＣｈａｎｎｅｌ装置３はＦｉｂｒｅＣｈａｎｎｅｌプロトコルの信号を送信する外部装置である。
【００１４】
マルチプロトコル収容装置４は複数のプロトコルを収容する装置である。
図１では、３つのプロトコル（ＳＯＮＥＴプロトコル、Ｅｔｈｅｒｎｅｔプロトコル、ＦｉｂｒｅＣｈａｎｎｅｌプロトコル）を収容する例を示しているが、これは一例に過ぎず、他のプロトコルを収容するものであってもよい。
オペレーション装置５は実際に機器を操作する操作者が使用するコンピュータ等の装置である。
【００１５】
ポート１１−１はポート番号が“１”のポートであり、外部装置と接続された状態で、その外部装置から送信される信号を受信するインタフェースである。
ポート１１−２はポート番号が“２”のポートであり、外部装置と接続された状態で、その外部装置から送信される信号を受信するインタフェースである。
ポート１１−ｎはポート番号が“ｎ”のポートであり、外部装置と接続された状態で、その外部装置から送信される信号を受信するインタフェースである。
なお、ポート１１−１〜１１−ｎは物理的な形状が共通のコネクタ等で構成されており、外見的には同一であるが、登録されているプロトコルが相違している。
この実施の形態１では、ポート１１−１にはＳＯＮＥＴプロトコル、ポート１１−２にはＥｔｈｅｒｎｅｔプロトコル、ポート１１−ｎにはＦｉｂｒｅＣｈａｎｎｅｌプロトコルが登録されているものとする。
【００１６】
フレーム同期処理部１２−１はポート１１−１に登録されているＳＯＮＥＴプロトコルで、ポート１１−１により受信された信号に対するフレーム同期の確立処理を実施し、フレーム同期の確立が図れない場合、プロトコル種別管理・制御部１３の指示の下、ＳＯＮＥＴプロトコルと異なる他のプロトコル（Ｅｔｈｅｒｎｅｔプロトコル、ＦｉｂｒｅＣｈａｎｎｅｌプロトコル）で、ポート１１−１により受信された信号に対するフレーム同期の確立処理を実施する。
フレーム同期処理部１２−２はポート１１−２に登録されているＥｔｈｅｒｎｅｔプロトコルで、ポート１１−２により受信された信号に対するフレーム同期の確立処理を実施し、フレーム同期の確立が図れない場合、プロトコル種別管理・制御部１３の指示の下、Ｅｔｈｅｒｎｅｔプロトコルと異なる他のプロトコル（ＳＯＮＥＴプロトコル、ＦｉｂｒｅＣｈａｎｎｅｌプロトコル）で、ポート１１−２により受信された信号に対するフレーム同期の確立処理を実施する。
【００１７】
フレーム同期処理部１２−ｎはポート１１−ｎに登録されているＦｉｂｒｅＣｈａｎｎｅｌプロトコルで、ポート１１−ｎにより受信された信号に対するフレーム同期の確立処理を実施し、フレーム同期の確立が図れない場合、プロトコル種別管理・制御部１３の指示の下、ＦｉｂｒｅＣｈａｎｎｅｌプロトコルと異なる他のプロトコル（ＳＯＮＥＴプロトコル、Ｅｔｈｅｒｎｅｔプロトコル）で、ポート１１−ｎにより受信された信号に対するフレーム同期の確立処理を実施する。
なお、フレーム同期処理部１２−１〜１２−ｎはフレーム同期確立手段を構成している。
【００１８】
プロトコル種別管理・制御部１３はポート番号とプロトコルの対応関係を示すプロトコル種別テーブル１３ａを有しており、フレーム同期処理部１２−１〜１２−ｎによりフレーム同期が確立されない場合、プロトコル種別テーブル１３ａを参照して、フレーム同期処理部１２−１〜１２−ｎに登録されているプロトコルと異なる他のプロトコルを検索し、他のプロトコルでのフレーム同期の確立処理をフレーム同期処理部１２−１〜１２−ｎに指示し、他のプロトコルでフレーム同期が確立されれば、外部装置の接続先が誤っている旨をオペレーション装置５に通知する一方、他のプロトコルでもフレーム同期が確立されなければ、誤接続以外の原因でフレーム同期が確立されない旨をオペレーション装置５に通知する処理を実施する。なお、プロトコル種別管理・制御部１３は誤接続検出手段を構成している。
【００１９】
次に動作について説明する。
最初に、外部装置であるＳＯＮＥＴ装置１を本来的にはポート番号が“１”のポート１１−１に接続するところ、誤ってポート番号が“ｎ”のポート１１−ｎに接続されたものとして説明する。
ＳＯＮＥＴ装置１がマルチプロトコル収容装置４のポート１１−ｎに接続されると、ＳＯＮＥＴ装置１から送信された信号がポート１１−ｎに受信される。
【００２０】
フレーム同期処理部１２−ｎは、ポート１１−ｎがＳＯＮＥＴ装置１から送信された信号を受信すると、ポート１１−ｎに登録されているＦｉｂｒｅＣｈａｎｎｅｌプロトコルで、その受信信号に対するフレーム同期の確立処理を実施する。
この場合、ＳＯＮＥＴ装置１から送信された信号のプロトコルはＳＯＮＥＴプロトコルであり、ポート１１−ｎに登録されているＦｉｂｒｅＣｈａｎｎｅｌプロトコルと異なるので、信号内のフレームを認識することができず、フレーム同期の確立を図ることができない。
このため、フレーム同期処理部１２−ｎは、フレーム同期が確立されない旨を示す同期状態通知信号をプロトコル種別管理・制御部１３に出力する。
【００２１】
プロトコル種別管理・制御部１３は、フレーム同期処理部１２−ｎからフレーム同期が確立されない旨を示す同期状態通知信号を受けると、“登録プロトコルでのフレーム同期外れ”の発生を認識し（ステップＳＴ１）、プロトコル種別テーブル１３ａを参照して、フレーム同期処理部１２−ｎに登録されているＦｉｂｒｅＣｈａｎｎｅｌプロトコルと異なる他のプロトコルを検索する。
この場合、ＳＯＮＥＴプロトコル又はＥｔｈｅｒｎｅｔプロトコルを検索するが、どちらのプロトコルを先に検索するかは問わず、例えば、テーブルの格納順に検索するようにしてもよい。
【００２２】
プロトコル種別管理・制御部１３は、フレーム同期処理部１２−ｎに登録されているＦｉｂｒｅＣｈａｎｎｅｌプロトコルと異なる他のプロトコルとして、例えば、Ｅｔｈｅｒｎｅｔプロトコルを検索すると、そのＥｔｈｅｒｎｅｔプロトコルでの同期確立処理の実行を指示するプロトコル指示信号をフレーム同期処理部１２−ｎに出力する。
フレーム同期処理部１２−ｎは、プロトコル種別管理・制御部１３からプロトコル指示信号を受けると、そのプロトコル指示信号が指示するＥｔｈｅｒｎｅｔプロトコルで、ポート１１−ｎの受信信号に対するフレーム同期の確立処理を実施する（ステップＳＴ２）。
この場合、ＳＯＮＥＴ装置１から送信された信号のプロトコルはＳＯＮＥＴプロトコルであり、プロトコル種別管理・制御部１３から指示されたＥｔｈｅｒｎｅｔプロトコルと異なるので、信号内のフレームを認識することができず、フレーム同期の確立を図ることができない。
このため、フレーム同期処理部１２−ｎは、フレーム同期が確立されない旨を示す同期状態通知信号をプロトコル種別管理・制御部１３に出力する。
【００２３】
プロトコル種別管理・制御部１３は、フレーム同期処理部１２−ｎからフレーム同期が確立されない旨を示す同期状態通知信号を受けると、プロトコル種別テーブル１３ａを参照して、Ｅｔｈｅｒｎｅｔプロトコル以外の他のプロトコルであるＳＯＮＥＴプロトコルを検索し、そのＳＯＮＥＴプロトコルでの同期確立処理の実行を指示するプロトコル指示信号をフレーム同期処理部１２−ｎに出力する。
フレーム同期処理部１２−ｎは、プロトコル種別管理・制御部１３からプロトコル指示信号を受けると、そのプロトコル指示信号が指示するＳＯＮＥＴプロトコルで、ポート１１−ｎの受信信号に対するフレーム同期の確立処理を実施する（ステップＳＴ２）。
この場合、ＳＯＮＥＴ装置１から送信された信号のプロトコルはＳＯＮＥＴプロトコルであり、プロトコル種別管理・制御部１３から指示されたＳＯＮＥＴプロトコルと一致するので、信号内のフレームを認識することができ、フレーム同期の確立を図ることができる。
このため、フレーム同期処理部１２−ｎは、フレーム同期が確立された旨を示す同期状態通知信号をプロトコル種別管理・制御部１３に出力する。
【００２４】
プロトコル種別管理・制御部１３は、フレーム同期処理部１２−ｎからフレーム同期が確立された旨を示す同期状態通知信号を受けると、“登録プロトコル以外のプロトコルでフレーム同期”が確立されたことを認識する（ステップＳＴ３）。
登録プロトコル以外のプロトコルであるＳＯＮＥＴプロトコルでフレーム同期が確立されたということは、ポート１１−ｎの受信信号がＳＯＮＥＴプロトコルの信号であると判断することができる。
そこで、プロトコル種別管理・制御部１３は、プロトコル種別テーブル１３ａを参照して、ＳＯＮＥＴプロトコルに対応するポート番号を特定することで、ポート１１−ｎにより受信された信号は、本来、どのポートにより受信される信号であるかを判別する。
即ち、プロトコル種別管理・制御部１３は、ＳＯＮＥＴプロトコルに対応するポート番号が“１”であり、ポート番号“１”のポートはポート１１−１であるので、外部装置であるＳＯＮＥＴ装置１の正しい接続先は、ポート１１−１であると判定する。
【００２５】
プロトコル種別管理・制御部１３は、ＳＯＮＥＴ装置１の正しい接続先がポート１１−１であると判定すると、ＳＯＮＥＴ装置１の接続先が誤っている旨をオペレーション装置５に通知するとともに、正しい接続先がポート１１−１である旨をオペレーション装置５に通知する（ステップＳＴ４）。
【００２６】
次に、外部装置であるＳＯＮＥＴ装置１を正しくポート１１−１に接続したが、信号劣化等の原因でフレーム同期が確立されない場合の処理内容を説明する。
フレーム同期処理部１２−１は、ポート１１−１がＳＯＮＥＴ装置１から送信された信号を受信すると、ポート１１−１に登録されているＳＯＮＥＴで、その受信信号に対するフレーム同期の確立処理を実施する。
この場合、ＳＯＮＥＴ装置１から送信された信号のプロトコルはＳＯＮＥＴプロトコルであり、ポート１１−１に登録されているＳＯＮＥＴプロトコルと一致するが、ＳＯＮＥＴ装置１から送信された信号が劣化しているために、多くの信号誤りが発生しており、フレーム同期の確立を図ることができない。
このため、フレーム同期処理部１２−１は、フレーム同期が確立されない旨を示す同期状態通知信号をプロトコル種別管理・制御部１３に出力する。
【００２７】
プロトコル種別管理・制御部１３は、フレーム同期処理部１２−１からフレーム同期が確立されない旨を示す同期状態通知信号を受けると、“登録プロトコルでのフレーム同期外れ”の発生を認識し（ステップＳＴ１）、プロトコル種別テーブル１３ａを参照して、フレーム同期処理部１２−１に登録されているＳＯＮＥＴプロトコルと異なる他のプロトコルを検索する。
この場合、Ｅｔｈｅｒｎｅｔプロトコル又はＦｉｂｒｅＣｈａｎｎｅｌプロトコルを検索するが、どちらのプロトコルを先に検索するかは問わず、例えば、テーブルの格納順に検索するようにしてもよい。
【００２８】
プロトコル種別管理・制御部１３は、フレーム同期処理部１２−１に登録されているＳＯＮＥＴプロトコルと異なる他のプロトコルとして、例えば、Ｅｔｈｅｒｎｅｔプロトコルを検索すると、そのＥｔｈｅｒｎｅｔプロトコルでの同期確立処理の実行を指示するプロトコル指示信号をフレーム同期処理部１２−１に出力する。
フレーム同期処理部１２−１は、プロトコル種別管理・制御部１３からプロトコル指示信号を受けると、そのプロトコル指示信号が指示するＥｔｈｅｒｎｅｔプロトコルで、ポート１１−１の受信信号に対するフレーム同期の確立処理を実施する（ステップＳＴ２）。
この場合、ＳＯＮＥＴ装置１から送信された信号のプロトコルはＳＯＮＥＴプロトコルであり、プロトコル種別管理・制御部１３から指示されたＥｔｈｅｒｎｅｔプロトコルと異なるので、信号内のフレームを認識することができず、フレーム同期の確立を図ることができない。
このため、フレーム同期処理部１２−１は、フレーム同期が確立されない旨を示す同期状態通知信号をプロトコル種別管理・制御部１３に出力する。
【００２９】
プロトコル種別管理・制御部１３は、フレーム同期処理部１２−１からフレーム同期が確立されない旨を示す同期状態通知信号を受けると、プロトコル種別テーブル１３ａを参照して、Ｅｔｈｅｒｎｅｔプロトコル以外の他のプロトコルであるＦｉｂｒｅＣｈａｎｎｅｌを検索し、そのＦｉｂｒｅＣｈａｎｎｅｌでの同期確立処理の実行を指示するプロトコル指示信号をフレーム同期処理部１２−１に出力する。
フレーム同期処理部１２−１は、プロトコル種別管理・制御部１３からプロトコル指示信号を受けると、そのプロトコル指示信号が指示するＦｉｂｒｅＣｈａｎｎｅｌプロトコルで、ポート１１−１の受信信号に対するフレーム同期の確立処理を実施する（ステップＳＴ２）。
この場合、ＳＯＮＥＴ装置１から送信された信号のプロトコルはＳＯＮＥＴプロトコルであり、プロトコル種別管理・制御部１３から指示されたＦｉｂｒｅＣｈａｎｎｅｌと異なるので、信号内のフレームを認識することができず、フレーム同期の確立を図ることができない。
このため、フレーム同期処理部１２−１は、フレーム同期が確立されない旨を示す同期状態通知信号をプロトコル種別管理・制御部１３に出力する。
【００３０】
プロトコル種別管理・制御部１３は、フレーム同期処理部１２−１からフレーム同期が確立されない旨を示す同期状態通知信号を受けると、全てのプロトコルでフレーム同期が確立されないことを認識する（ステップＳＴ３）。
全てのプロトコルでフレーム同期が確立されないということは、誤接続が原因ではなく、信号劣化等が原因である可能性が高いと判断することができる。
そこで、プロトコル種別管理・制御部１３は、登録プロトコルでのフレーム同期外れ警報として、ポート１１−１が誤接続以外の原因（信号劣化等が原因）でフレーム同期が確立されない旨をオペレーション装置５に通知する（ステップＳＴ５）。
【００３１】
以上で明らかなように、この実施の形態１によれば、外部装置と接続された状態で、外部装置から送信される信号を受信する物理的形状が共通なポート１１−１〜１１−ｎと、ポート１１−１〜１１−ｎに登録されているプロトコルで、ポート１１−１〜１１−ｎにより受信された信号に対するフレーム同期の確立処理を実施するフレーム同期処理部１２−１〜１２−ｎとを設け、プロトコル種別管理・制御部１３が、フレーム同期処理部１２−１〜１２−ｎによりフレーム同期が確立されない場合、登録されているプロトコルと異なる他のプロトコルでのフレーム同期の確立処理をフレーム同期処理部１２−１〜１２−ｎに指示し、他のプロトコルでフレーム同期が確立されれば、外部装置の接続先が誤っている旨をオペレーション装置５に通知し、他のプロトコルでもフレーム同期が確立されなければ、誤接続以外の原因でフレーム同期が確立されない旨をオペレーション装置５に通知するように構成したので、誤接続が原因でフレーム同期が確立されないのか、誤接続以外の原因でフレーム同期が確立されないのかを操作者が知ることができるようになり、その結果、操作者が迅速に問題に対処して回線を開通することができる効果を奏する。
特に、誤接続が原因でフレーム同期が確立されない場合、操作者が接続先を訂正することで、迅速に回線を開通することができる。
【００３２】
また、この実施の形態１によれば、他のプロトコルでフレーム同期が確立される場合、プロトコル種別管理・制御部１３が、正しい接続先として、他のプロトコルが登録されているポートをオペレーション装置５に通知するように構成したので、実際に機器を操作する操作者が正しい接続先を認識して、迅速に誤接続を解消することができる効果を奏する。
【００３３】
実施の形態２．
図３はこの発明の実施の形態２によるマルチプロトコル収容装置の処理内容を示す説明図である。
上記実施の形態１では、登録されているプロトコル以外の他のプロトコルでフレーム同期が確立されれば、外部装置の接続先が誤っている旨をオペレーション装置５に通知することで、実際に機器を操作する操作者が誤接続を認識することができるようにしているが、マルチプロトコル収容装置４の前面に「誤接続発生ランプ（表示手段）」を実装し、登録されているプロトコル以外の他のプロトコルでフレーム同期が確立された場合、プロトコル種別管理・制御部１３が、「誤接続発生ランプ」を点灯するようにしてもよい。
この場合、操作者が「誤接続発生ランプ」の点灯を確認することで、誤接続を認識することができる。
【００３４】
また、マルチプロトコル収容装置４の前面に「ポート番号表示部（表示手段）」を実装し、登録されているプロトコル以外の他のプロトコルでフレーム同期が確立された場合、プロトコル種別管理・制御部１３が、正しい接続先として、他のプロトコルが登録されているポートの番号をポート番号表示部に表示するようにしてもよい。
この場合、操作者が「ポート番号表示部」に表示されているポートの番号を確認することで正しい接続先を認識して、迅速に誤接続を解消することができる効果を奏する。
【００３５】
また、マルチプロトコル収容装置４の前面に「信号劣化等発生ランプ」を実装し、登録されているプロトコル以外の他のプロトコルでもフレーム同期が確立されない場合、プロトコル種別管理・制御部１３が、「信号劣化等発生ランプ」を点灯するようにしてもよい。
この場合、操作者が「信号劣化等発生ランプ」の点灯を確認することで、誤接続以外の原因（信号劣化等が原因）で、フレーム同期が確立されないことを認識して、迅速に問題に対処することができる効果を奏する。
【００３６】
実施の形態３．
図４はこの発明の実施の形態３によるマルチプロトコル収容装置の処理内容を示す説明図であり、図において、図１〜図３と同一符号は同一又は相当部分を示すので説明を省略する。
ＳＯＮＥＴ装置１ａ，１ｂはＳＯＮＥＴプロトコルの信号を送信する外部装置である。
ポート１１−ｍはポート番号が“ｍ”のポートであり、外部装置と接続された状態で、その外部装置から送信される信号を受信するインタフェースである。
この実施の形態３では、ポート１１−１には回線識別子が“Ａ”のＳＯＮＥＴプロトコル、ポート１１−２には回線識別子が“Ｂ”のＥｔｈｅｒｎｅｔプロトコル、ポート１１−ｍには回線識別子が“Ｍ”のＳＯＮＥＴプロトコル、ポート１１−ｎには回線識別子が“Ｎ”のＦｉｂｒｅＣｈａｎｎｅｌプロトコルが登録されているものとする。
【００３７】
フレーム同期処理部１２−ｍはポート１１−ｍに登録されているＳＯＮＥＴプロトコルで、ポート１１−ｍにより受信された信号に対するフレーム同期の確立処理を実施し、フレーム同期の確立が図れない場合、プロトコル種別管理・制御部１４の指示の下、ＳＯＮＥＴプロトコルと異なる他のプロトコル（Ｅｔｈｅｒｎｅｔプロトコル、ＦｉｂｒｅＣｈａｎｎｅｌプロトコル）で、ポート１１−ｍにより受信された信号に対するフレーム同期の確立処理を実施する。
なお、フレーム同期処理部１２−ｍはフレーム同期確立手段を構成している。
【００３８】
プロトコル種別管理・制御部１４は図１のプロトコル種別管理・制御部１３と同様に、フレーム同期処理部１２−１〜１２−ｎによりフレーム同期が確立されない場合、フレーム同期処理部１２−１〜１２−ｎに登録されているプロトコルと異なる他のプロトコルでのフレーム同期の確立処理をフレーム同期処理部１２−１〜１２−ｎに指示し、他のプロトコルでフレーム同期が確立されれば、外部装置の接続先が誤っている旨をオペレーション装置５に通知する一方、他のプロトコルでもフレーム同期が確立されなければ、誤接続以外の原因でフレーム同期が確立されない旨をオペレーション装置５に通知する処理を実施する。
ただし、プロトコル種別管理・制御部１４はポート番号とプロトコルと回線識別子（例えば、該当プロトコルにおけるトレース識別子などの情報）の対応関係を示すポート／プロトコル／識別子テーブル１４ａを有しており、他のプロトコルでフレーム同期が確立される場合、他のプロトコルにおける回線識別子を検出し、ポート／プロトコル／識別子テーブル１４ａを参照して、その回線識別子に対応するポートを検索して、そのポートが正しい接続先である旨をオペレーション装置５に通知するようにする。
なお、プロトコル種別管理・制御部１４は誤接続検出手段を構成している。
【００３９】
次に動作について説明する。
信号劣化等の原因でフレーム同期が確立されない場合のマルチプロトコル収容装置４の処理内容は、上記実施の形態１と同様である。
ＳＯＮＥＴプロトコルで、ポート１１−ｎにより受信された信号に対するフレーム同期の確立が図られた場合、ＳＯＮＥＴプロトコルが登録されているポートが正しい接続先になるが、図４に示すように、２つのポート１１−１，１１−ｍにＳＯＮＥＴプロトコルが登録されている場合、上記実施の形態１の方式では、どちらのポート１１−１，１１−ｍが正しい接続先であるのかを判別することができない。
そこで、この実施の形態３では、２つのポート１１−１，１１−ｍにＳＯＮＥＴプロトコルが登録されている場合でも、正しい接続先を判別することができるようにしている。
以下、具体的な処理内容を説明する。
【００４０】
ここでは、外部装置であるＳＯＮＥＴ装置１ａを本来的にはポート番号が“１”のポート１１−１に接続するところ、誤ってポート番号が“ｎ”のポート１１−ｎに接続されたものとして説明する。
ＳＯＮＥＴ装置１ａがマルチプロトコル収容装置４のポート１１−ｎに接続されると、ＳＯＮＥＴ装置１ａから送信された信号がポート１１−ｎに受信される。
【００４１】
フレーム同期処理部１２−ｎは、ポート１１−ｎがＳＯＮＥＴ装置１ａから送信された信号を受信すると、ポート１１−ｎに登録されているＦｉｂｒｅＣｈａｎｎｅｌプロトコルで、その受信信号に対するフレーム同期の確立処理を実施する。
この場合、ＳＯＮＥＴ装置１ａから送信された信号のプロトコルはＳＯＮＥＴプロトコルであり、ポート１１−ｎに登録されているＦｉｂｒｅＣｈａｎｎｅｌプロトコルと異なるので、信号内のフレームを認識することができず、フレーム同期の確立を図ることができない。
このため、フレーム同期処理部１２−ｎは、フレーム同期が確立されない旨を示す同期状態通知信号をプロトコル種別管理・制御部１４に出力する。
【００４２】
プロトコル種別管理・制御部１４は、フレーム同期処理部１２−ｎからフレーム同期が確立されない旨を示す同期状態通知信号を受けると、“登録プロトコルでのフレーム同期外れ”の発生を認識し（ステップＳＴ１）、ポート／プロトコル／識別子テーブル１４ａを参照して、フレーム同期処理部１２−ｎに登録されているＦｉｂｒｅＣｈａｎｎｅｌプロトコルと異なる他のプロトコルを検索する。
この場合、ＳＯＮＥＴプロトコル又はＥｔｈｅｒｎｅｔプロトコルを検索するが、どちらのプロトコルを先に検索するかは問わず、例えば、テーブルの格納順に検索するようにしてもよい。
【００４３】
プロトコル種別管理・制御部１４は、フレーム同期処理部１２−ｎに登録されているＦｉｂｒｅＣｈａｎｎｅｌプロトコルと異なる他のプロトコルとして、例えば、Ｅｔｈｅｒｎｅｔプロトコルを検索すると、そのＥｔｈｅｒｎｅｔプロトコルでの同期確立処理の実行を指示するプロトコル指示信号をフレーム同期処理部１２−ｎに出力する。
フレーム同期処理部１２−ｎは、プロトコル種別管理・制御部１４からプロトコル指示信号を受けると、そのプロトコル指示信号が指示するＥｔｈｅｒｎｅｔプロトコルで、ポート１１−ｎの受信信号に対するフレーム同期の確立処理を実施する（ステップＳＴ２）。
この場合、ＳＯＮＥＴ装置１ａから送信された信号のプロトコルはＳＯＮＥＴプロトコルであり、プロトコル種別管理・制御部１４から指示されたＥｔｈｅｒｎｅｔプロトコルと異なるので、信号内のフレームを認識することができず、フレーム同期の確立を図ることができない。
このため、フレーム同期処理部１２−ｎは、フレーム同期が確立されない旨を示す同期状態通知信号をプロトコル種別管理・制御部１４に出力する。
【００４４】
プロトコル種別管理・制御部１４は、フレーム同期処理部１２−ｎからフレーム同期が確立されない旨を示す同期状態通知信号を受けると、ポート／プロトコル／識別子テーブル１４ａを参照して、Ｅｔｈｅｒｎｅｔプロトコル以外の他のプロトコルであるＳＯＮＥＴプロトコルを検索し、そのＳＯＮＥＴプロトコルでの同期確立処理の実行を指示するプロトコル指示信号をフレーム同期処理部１２−ｎに出力する。
フレーム同期処理部１２−ｎは、プロトコル種別管理・制御部１４からプロトコル指示信号を受けると、そのプロトコル指示信号が指示するＳＯＮＥＴプロトコルで、ポート１１−ｎの受信信号に対するフレーム同期の確立処理を実施する（ステップＳＴ２）。
この場合、ＳＯＮＥＴ装置１ａから送信された信号のプロトコルはＳＯＮＥＴプロトコルであり、プロトコル種別管理・制御部１４から指示されたＳＯＮＥＴプロトコルと一致するので、信号内のフレームを認識することができ、フレーム同期の確立を図ることができる。
このため、フレーム同期処理部１２−ｎは、フレーム同期が確立された旨を示す同期状態通知信号をプロトコル種別管理・制御部１４に出力する。
【００４５】
プロトコル種別管理・制御部１４は、フレーム同期処理部１２−ｎからフレーム同期が確立された旨を示す同期状態通知信号を受けると、“登録プロトコル以外のプロトコルでフレーム同期”が確立されたことを認識する（ステップＳＴ３）。
登録プロトコル以外のプロトコルであるＳＯＮＥＴプロトコルでフレーム同期が確立されたということは、ポート１１−ｎの受信信号がＳＯＮＥＴプロトコルの信号であると判断することができる。
そこで、プロトコル種別管理・制御部１４は、ポート／プロトコル／識別子テーブル１４ａを参照して、ＳＯＮＥＴプロトコルに対応するポート番号を特定することで、正しい接続先を特定する。
【００４６】
ただし、ポート／プロトコル／識別子テーブル１４ａには、ＳＯＮＥＴプロトコルに対応するポート番号が２つ存在しており、ＳＯＮＥＴプロトコルの情報だけでは正しい接続先を特定することができないので、フレーム同期が確立したＳＯＮＥＴプロトコルにおける回線識別子（信号内のフレームの回線識別子）を検出する（ステップＳＴ６）。この場合、回線識別子として“Ａ”を検出する。
プロトコル種別管理・制御部１４は、ＳＯＮＥＴプロトコルにおける回線識別子“Ａ”を検出すると、ポート／プロトコル／識別子テーブル１４ａを参照して、回線識別子“Ａ”に対応するポート番号“１”を特定する（ステップＳＴ７）。
プロトコル種別管理・制御部１４は、ポート番号“１”のポートはポート１１−１であるので、外部装置であるＳＯＮＥＴ装置１ａの正しい接続先は、ポート１１−１であると判定する。
【００４７】
プロトコル種別管理・制御部１４は、ＳＯＮＥＴ装置１ａの正しい接続先がポート１１−１であると判定すると、ＳＯＮＥＴ装置１ａの接続先が誤っている旨をオペレーション装置５に通知するとともに、正しい接続先がポート１１−１である旨をオペレーション装置５に通知する（ステップＳＴ８）。
なお、マルチプロトコル収容装置４の前面に「誤接続発生ランプ」と「ポート番号表示部」が実装されている場合には、プロトコル種別管理・制御部１４が誤接続発生ランプを点灯するとともに、ポート１１−１のポート番号“１”をポート番号表示部に表示する。
【００４８】
以上で明らかなように、この実施の形態３によれば、プロトコル種別管理・制御部１４が、他のプロトコルでフレーム同期が確立される場合、他のプロトコルにおける回線識別子を検出し、ポート／プロトコル／識別子テーブル１４ａを参照して、その回線識別子に対応するポートを検索して、そのポートが正しい接続先である旨をオペレーション装置５に通知するように構成したので、フレーム同期が確立されるプロトコルが複数のポートに登録されている場合でも、正しい接続先を特定することができる効果を奏する。
【００４９】
実施の形態４．
上記実施の形態３では、プロトコル種別管理・制御部１４が他のプロトコルにおける回線識別子を検出し、ポート／プロトコル／識別子テーブル１４ａを参照して、回線識別子に対応するポートを検索して、そのポートが正しい接続先である旨をオペレーション装置５に通知するものについて示したが、他のプロトコルの回線識別子と同一の回線識別子がポート／プロトコル／識別子テーブル１４ａに登録されていない場合が考えられる。
この場合、他のプロトコルでフレーム同期が確立されているので、誤接続であることは間違いないと判断することができるが、当該マルチプロトコル収容装置４内には、該当する「本来の接続先」が存在しないことになる。
【００５０】
そこで、このような場合には、プロトコル種別管理・制御部１４が、「他のマルチプロトコル収容装置との誤接続」である旨（正しい接続先が他の装置である旨）をオペレーション装置５に通知することで、他の装置を含めた接続確認を操作者に促すようにする。
なお、マルチプロトコル収容装置４の前面に「ポート番号表示部」が実装されている場合には、プロトコル種別管理・制御部１４が、有効なポート番号ではない「００」や「エラー」等をポート番号表示部に表示する。
【００５１】
以上で明らかなように、この実施の形態４によれば、他のプロトコルにおける回線識別子がポート／プロトコル／識別子テーブル１４ａに登録されていない場合、プロトコル種別管理・制御部１４が、正しい接続先が他の装置である旨をオペレーション装置５に通知するように構成したので、他の装置を含めた接続確認を操作者に促すことができる効果を奏する。
【符号の説明】
【００５２】
１，１ａ，１ｂ  ＳＯＮＥＴ装置（外部装置）、２  Ｅｔｈｅｒｎｅｔ装置（外部装置）、３  ＦｉｂｒｅＣｈａｎｎｅｌ装置（外部装置）、４  マルチプロトコル収容装置、５  オペレーション装置、１１−１〜１１−ｍ，１１−ｎ  ポート、１２−１〜１２−ｍ，１２−ｎ  フレーム同期処理部（フレーム同期確立手段）、１３  プロトコル種別管理・制御部（誤接続検出手段）、１３ａ  プロトコル種別テーブル、１４プロトコル種別管理・制御部（誤接続検出手段）、１４ａ  ポート／プロトコル／識別子テーブル。
【図１】
2010252026.tif 000003
【図２】
2010252026.tif 000004
【図３】
2010252026.tif 000005
【図４】
2010252026.tif 000006
【図５】
2010252026.tif 000007